(57)【要約】【課題】  大きさ、形状の異なるさまざまなタイプのプランターに適応が可能で、余剰潅水を利用した底面潅水用の器具を提供する。【解決手段】  プランター底面に、中空穴あき球７を包み込んだ不織布袋５を、最大貯水線８のレベルまでに合わせて敷設する。【選択図】  図１
2005052128.tif 000002
【特許請求の範囲】
【請求項１】
プランター内部の底面に、大きさ・形状に柔軟性のある貯水空間を形成しうる貯水器具を敷設し、同貯水空間に貯まった水を底面潅水として利用できるようにしたプランター。
【請求項２】
貯水器具として、丈夫で、引っ張り強さ、耐久性および腐食性があり、通水性はあるが培土・植物の根などは通さない不織布を用い、単数または複数の中空穴あき球を袋状に包み込むことで大きさ・形状に柔軟性のある貯水空間を形成できるようにした不織布袋、を敷設した請求項１記載のプランター。
【請求項３】
中空穴あき球として、中空で、通水性を確保するために球体表面に遍在する多数の穴を持ち、栽培される植物・培土など上部積載物の耐圧にも耐えられる強度を有し、合成樹脂などで作られる球体、を用いた請求項２記載のプランター。
【請求項４】
貯水器具に、毛管力のある不織布を用いることで貯水空間に貯えられた水を底面潅水として利用できるようにした請求項１又は２記載のプランター。
【請求項５】
過剰貯水を防止するため、最大貯水線上のプランター壁部に、過剰貯水を外部に排水させるための過剰貯水防止口を設けた請求項１記載のプランター。
【発明の詳細な説明】
【発明の詳細な説明】
【技術分野】
【０００１】本発明は、余剰潅水をプランター底部に貯え、乾燥状態に応じて貯えられた水を底面潅水として利用する器具、を用いたプランターに関するものである。
【背景技術】
【０００２】従来の、底面潅水によるプランターでの潅水の技術には、電気的な動力を利用したもの（例えば、実用新案文献１または実用新案文献２参照）、容器を適当数並置して底面の貯水を確保するもの（例えば、実用新案文献３参照）、または外部コンテナーを利用するもの（例えば、実用新案文献４参照）などがある。【０００３】
【実用新案文献１】
登録実用新案第３０５１７６８号
【０００４】
【実用新案文献２】
登録実用新案第３０４８００９号
【０００５】
【実用新案文献３】
登録実用新案第３０６３７０１号
【０００６】
【実用新案文献４】
実用新案公開平７−２５３４９
【発明が解決しようとする課題】
【０００７】植物への潅水には日常的な潅水管理を行う必要があり、人的労力に加えて経済的な負担のかかることが多い。特に地下部からの水と断絶されているプランター栽培の場合には、その負担は増すことになる。これを無くすまたは軽減するために、前述のごとく底面潅水による多くの技術が開発されている。
【０００８】しかしながら、ほとんどの技術において、電気的な動力が必要であるとか、底面潅水用に特化したプランター・設備・器具などが必要であるとかの課題がある。すなわち、電気的な動力が必要とされる場合には、電気的な設備のない環境では利用できないし、底面潅水に特化したプランター・設備・器具などが必要な場合には、既存のプランター・設備・器具などが利用できないばかりか、特化されたプランターの大きさ・形状に制約が出てくる、との課題がある。
【０００９】前出の容器を適当数並置して底面の貯水を確保するもの（例えば、実用新案文献３参照）の場合には、プランターの大小や上方から見た形状の違いに拘らず容器や蓋を使い分ける必要がない、としているが、この場合でも容器は一定の大きさ・形状で並置するわけで、丈の高いプランターなどの場合には十分な貯水量が確保できるのか、との課題があるように思える。
【００１０】本発明は、前述のように従来の技術が持っていた課題を解決しようとするもので、電気的な動力を用いることなく、大きさ、形状の異なるさまざまなタイプのプランターに適応するとともに、既存のプランターでも多少の手直しをすることで応用できるようにする、ことを目的としたものである。
【課題を解決するための手段】
【００１１】本発明は、上記目的を達成するために、不織布を用い、単数または複数の中空穴あき球を袋状に包み込むことで貯水空間を形成できるようにした不織布袋を使用する。
【００１２】不織布は、丈夫で、引っ張り強さ、耐久性および腐食性があり、通水性はあるが培土・植物の根などは通さないものを用いる。
【００１３】包み込まれる中空穴あき球は、中空で、通水性を確保するために球体表面に遍在する多数の穴を持ち、栽培される植物・培土など上部耐圧物の耐圧にも耐えられる強度を有し、合成樹脂などで作られる球体である。
【００１４】過剰貯水を防止するための過剰貯水防止口を設ける。
【作用】
【００１５】本発明は、電気的な動力を必要としない。
【００１６】上記の不織布袋を用いることで、プランター底面に貯水のための貯水空間を形成することができる。形成される貯水空間は、不織布袋に入れる中空穴あき球の数量を調整することで空間容量の調整が可能となる。更には、そのように調整された不織布袋の数を調整することでプランター内全体の貯水空間を調整することができる。
【００１７】また不織布袋の形状には柔軟性があるので、大きさ、形状の異なるさまざまなプランターへの適応が可能となる。
【００１８】更には、既存のプランターでも底部の排水口を塞ぎ、過剰貯水防止口を設けるなどの手直しをすることで応用できるようになる。
【００１９】貯水空間に貯えられた余剰潅水は、上部培土の乾燥状態に応じ、不織布と培土の持つ毛管力により底面潅水される。
【００２０】貯水空間に貯水機能を持たせるためには、プランター底部の排水口を無くすか、または閉じておく必要がある。その場合に余剰潅水が貯まりすぎて、最大貯水線を越えて過剰貯水となる可能性があり、植物の根腐れの原因ともなりかねない。その対策として、最大貯水線の位置をめどとしてプランター壁面に過剰貯水防止口を設けることで、過剰貯水を防止することができる。
【発明実施の形態】
【００２１】以下、本発明の実施の形態を実施例に基づき図面を参照して説明する。
【００２２】過剰貯水防止口４を設けたプランター１内に中空穴あき球７を包み込んだ不織布袋５を敷設する。包み込む際には、不織布袋５の形状に柔軟性を持たせるために緩やかに包み込む。
【００２３】また、包み込む材質は、丈夫で、引っ張り強さ、耐久性および腐食性があり、通水性はあるが培土・植物の根などは通さない材質のものであれば、不織布６に限定されるものではない。
【００２４】また、中空穴あき球７は、中空で、通水性を確保するために表面に遍在する多数の穴を持ち、栽培される植物・培土など上部積載物の耐圧にも耐えられる強度を有したものであれば、球体に限定されるものではない。
【００２５】不織布袋５の形成する貯水空間の大きさは、中に入れる中空穴あき球７の数を調整することで調整する。更にプランター１全体の貯水空間は、敷設する不織布袋７の数を調整することで調整する。プランター全体の調整は最大貯水線８に合わせることでめどとする。
【００２６】プランター１内に不織布袋７を敷設した後、不織布袋７の上に培土２を入れる。培土２は湿度が過多にならない程度に適度な保水力があり、通気性がよくて毛管力が働きやすいものを使用することで、より効果的となる。
【００２７】培土２を入れた状態で上から十分な水を注ぎ、貯水空間への初期の貯水を行う。過剰貯水防止口４から排水が開始されたら、注水を一時止めて植物３を植える。植えた後で、あらためて植物３を培土２に定着させるため上からの潅水を行う。この状態で貯水空間には十分な貯水が行われたことになり、貯水空間への初期の貯水が完了する。
【００２８】以降は、培土４の乾燥状態に応じて底面潅水が行われる。底面潅水により貯えられた水は減少していくが、雨水による自然潅水の際に、培土４を通過する余剰潅水が貯えられることで補充させる。また大量の雨水の場合の過剰貯水は、余剰潅水が過剰貯水防止口４より排水されることで防止される。
【００２９】過剰貯水防止口４はプランター外部に開口しているので、排水のみならず培土２も排出してしまう可能性がある。そのための防止策としては、開口部をネット状のもので塞ぐとか、開口部を
【図５】
のように加工する方法がある。
【発明の効果】
【００３０】上述したように、本発明の器具を用いることで、電気的な動力を用いることなく、大きさ、形状の異なるさまざまなタイプのプランターに適応して底面潅水を行うことができる。また既存のプランターに対しても、底部の排水口を塞ぎ、過剰貯水防止口を設けるなどの手直しをすることで応用ができる。更には、同様な手直しをすることで、植木鉢、コンテナーなどのプランターの容器にも応用ができる。
【図面の簡単な説明】
【図１】器具を敷設したプランターの縦断面図である
【図２】器具を敷設したプランターの横断面図である
【図３】不織布袋のイメージを示す断面図である
【図４】中空穴あき球のイメージを示す正面図及び断面図である
【図５】過剰貯水防止口を示す縦断面図である
【符号の説明】
１  プランター
２  培土
３  植物
４  過剰貯水防止口
５  不織布袋
６  不織布
７  中空穴あき球
８  最大貯水線
【図１】
2005052128.tif 000003
【図２】
2005052128.tif 000004
【図３】
2005052128.tif 000005
【図４】
2005052128.tif 000006
【図５】
2005052128.tif 000007